(57)【要約】【課題】他人に個人データなどの秘匿情報を見られることをより防止でき、使用者にとって少ない負担で秘匿情報を確認できる情報表示装置を提供することを目的とする。【解決手段】情報表示画面を表示可能な表示手段と、パスワードの入力を受け付ける受付手段と、受付手段がパスワードを受け付けた場合に限って情報表示画面を表示手段に表示させるよう制御する第１制御モードと、受付手段によるパスワードの入力受付を要することなく情報表示画面を表示手段に表示させるよう制御する第２制御モードと、を制御モードとして有する制御手段と、を備え、制御手段は、第１制御モードにおいて情報表示画面を表示手段に表示させる場合、秘匿情報を隠すことなく情報表示画面を表示させる一方、第２制御モードにおいて情報表示画面を表示手段に表示させる場合、秘匿情報を隠した状態で情報表示画面を表示させる。【選択図】図１
2009223470.tif 000002
【特許請求の範囲】
【請求項１】
秘匿情報を含む各種情報の表示に用いる情報表示画面を表示可能な表示手段と、
前記情報表示画面を前記表示手段に表示させるための認証情報の入力を受け付ける受付手段と、
前記受付手段が前記認証情報を受け付けた場合に限って前記情報表示画面を前記表示手段に表示させるよう制御する第１制御モードと、前記受付手段による前記認証情報の入力受付を要することなく前記情報表示画面を前記表示手段に表示させるよう制御する第２制御モードと、を制御モードとして少なくとも有する制御手段と、を備え、
前記制御手段は、
前記第１制御モードにおいて前記情報表示画面を前記表示手段に表示させる場合、前記秘匿情報を隠すことなく前記情報表示画面を表示させる一方、
前記第２制御モードにおいて前記情報表示画面を前記表示手段に表示させる場合、前記秘匿情報を隠した状態で前記情報表示画面を表示させる、
情報表示装置。
【請求項２】
前記秘匿情報を隠した状態とは、当該秘匿情報を構成する文字が、異なる文字に変換された状態である、
請求項１に記載の情報表示装置。
【請求項３】
前記制御手段は、
前記秘匿情報を隠した状態で前記情報表示画面を表示する場合、前記秘匿情報を構成する文字の数と、秘匿情報を隠すために変換された文字の数とを異なるようにする、
請求項２に記載の情報表示装置。
【発明の詳細な説明】
【技術分野】
【０００１】
本発明は、表示手段を備え、秘匿情報を含む各種情報を表示手段に表示することが可能な情報表示装置に関する。本発明は、例えば、撮像装置やテレビジョン受信機能付き表示装置などに適用できる。
【背景技術】
【０００２】
携帯電話やデジタルカメラなどの情報表示装置には、秘匿情報となる個人データ（例えば、氏名、住所、電話番号、メールアドレス、血液型、誕生日など）が記憶できるようになっている。このため、例えば、使用者が情報表示装置を紛失した場合、他人に重要なデータが見られてしまうといった問題が発生している。
【０００３】
このような環境の中で、特許文献１に記載する通信装置では、使用者が通信装置を紛失した際に、他人に重要なデータを見られることを回避する技術を開示している。この通信装置は、個人情報である文字データを格納する格納手段と、文字データを表示する表示手段と、送受信手段とを備える。この通信装置は、送受信手段によって、使用者から暗証番号を受信した場合、受信した暗証番号が通信装置に格納された暗証番号と一致しているか否かを判定する。そして通信装置は、受信した暗証番号が一致すると判断した場合であって、自装置に対して文字データを表示するための指示があると、文字データを文字化けさせて表示手段に表示させる。
【０００４】
これによって、使用者が通信装置を紛失した際に、他人が使用者の個人データを見ることを防止できる。
【特許文献１】特開２００４−２２８６３３号公報
【発明の開示】
【発明が解決しようとする課題】
【０００５】
しかしながら、従来の通信装置では、使用者が紛失したことを気づいた時に、送受信手段に対して暗証番号を送信するものであるため、他人が通信装置を操作する際に、個人データである文字データを文字化けさせて表示手段に表示できない可能性がある。
【０００６】
そこで本発明は、上記課題を解決すべく、他人に個人データなどの秘匿情報を見られることをより防止でき、使用者にとって少ない負担で秘匿情報を確認できる情報表示装置を提供することを目的とする。
【課題を解決するための手段】
【０００７】
上記目的を達成するために、本発明の情報表示装置は、秘匿情報を含む各種情報の表示に用いる情報表示画面を表示可能な表示手段と、前記情報表示画面を前記表示手段に表示させるための認証情報の入力を受け付ける受付手段と、前記受付手段が前記認証情報を受け付けた場合に限って前記情報表示画面を前記表示手段に表示させるよう制御する第１制御モードと、前記受付手段による前記認証情報の入力受付を要することなく前記情報表示画面を前記表示手段に表示させるよう制御する第２制御モードと、を制御モードとして少なくとも有する制御手段と、を備える。そして前記制御手段は、前記第１制御モードにおいて前記情報表示画面を前記表示手段に表示させる場合、前記秘匿情報を隠すことなく前記情報表示画面を表示させる一方、前記第２制御モードにおいて前記情報表示画面を前記表示手段に表示させる場合、前記秘匿情報を隠した状態で前記情報表示画面を表示させる。
【０００８】
このようにすれば、認証情報を受け付けた場合に限って、秘匿情報を隠すことなく情報表示画面を表示手段に表示させる第1制御モードと、認証情報の入力受付を要することなく、秘匿情報を隠した状態で情報表示画面を表示手段に表示させる第２制御モードと、を備えるようにしたので、他人に秘匿情報を見られることをより防止できる。また、第１制御モードにおいて、認証情報の受け付けた場合に限って、秘匿情報を隠さずに表示できるようにしたので、使用者は少ない負担で秘匿情報を確認できる。
【０００９】
また、好ましくは、前記秘匿情報を隠した状態とは、当該秘匿情報を構成する文字が、異なる文字に変換された状態である。
【００１０】
加えて、好ましくは、前記制御手段は、前記秘匿情報を隠した状態で前記情報表示画面を表示する場合、前記秘匿情報を構成する文字の数と、秘匿情報を隠すために変換された文字の数とを異なるようにする。
【００１１】
このようにすれば、秘匿情報を隠すために変換された文字の数から、秘匿情報が推測されるのをより防止できる。
【発明の効果】
【００１２】
本発明によれば、他人に秘匿情報を見られることをより防止でき、使用者にとって少ない負担で秘匿情報を確認できる。
【発明を実施するための最良の形態】
【００１３】
（実施の形態１）
１．構成
図１は、本発明の実施の形態１にかかるデジタルカメラ１０の構成を示すブロック図である。
【００１４】
光学系２０は、被写体からの光学信号を集光してＣＣＤイメージセンサー２１上に被写体像を形成する。ＣＣＤイメージセンサー２１は、被写体像を撮像して画像データを生成する撮像素子である。撮像素子としては、ＣＣＤイメージセンサー２１に替えてＣＭＯＳイメージセンサー等を用いることもできる。ＡＤコンバーター２２は、ＣＣＤイメージセンサー２１で生成された画像データをデジタル変換する。
【００１５】
画像処理部３０は、デジタル化された画像データに対して所定の処理を施す。所定の処理としては、ガンマ変換、ＹＣ変換、電子ズーム処理、圧縮処理、伸張処理など考えられるが、これに限定されるものではない。
【００１６】
バッファメモリ４０は、画像処理部３０で画像処理を行う際、及び、コントローラー５０で制御処理を行う際に、ワークメモリとして作用する。バッファメモリ４０は、例えば、ＤＲＡＭなどで実現可能である。
【００１７】
フラッシュメモリ４１は、内蔵メモリとして用いられる。フラッシュメモリ４１は、画像データの他に、コントローラー５０の制御のためのプログラムや設定値などを記憶可能である。
【００１８】
またフラッシュメモリ４１は、情報表示画面を液晶モニタ７０に表示させるためのパスワードを記憶可能である。このパスワードは、予め設定され、例えば、図３のように、「ＡＢＣ１２３」として記憶される。要するに、パスワードは、認証情報である。ここで本実施の形態では、パスワードは予め設定されたものを記憶するようにしているが、これに限られず、使用者によって入力されたパスワードを記憶するようにしてもよい。
【００１９】
さらに、秘匿情報（住所、電話番号、メールアドレスなどの個人データ）を記憶可能である。この秘匿情報は、本実施の形態では、予め定められた情報を秘匿情報としているが、これに限られず、使用者によって指定された情報を秘匿情報とするようにしてもよい。また、秘匿情報としては、個人データに限られないことはいうまでもない。要するに、秘匿情報は、どのような情報であってもよい。なお、パスワードや秘匿情報は、フラッシュメモリ４１に記憶されているが、これに限られず、パスワードを記憶できるものであれば、どのような媒体に記憶してもよい。
【００２０】
コントローラー５０は、デジタルカメラ１０全体を制御するための制御手段である。コントローラー５０はマイクロコンピューターで実現してもよく、ハードワイヤードな回路で実現してもよい。要するに、本発明の制御手段は、自装置を制御できるものであればよい。
【００２１】
カードスロット６０は、メモリカード６１を着脱するためのスロットである。カードスロット６０は、メモリカード６１を制御する機能を有するようにしてもよい。メモリカード６１は、フラッシュメモリなどを内蔵する。メモリカード６１は、撮像画像データ等を格納可能である。
【００２２】
液晶モニタ７０は、画像データ、デジタルカメラ１０の各種の設定、秘匿情報を含む各種情報の表示に用いる情報表示画面等を表示する表示手段である。本発明の表示手段としては、液晶モニタ７０に替えて、有機ＥＬディスプレイなどを用いることもできる。
【００２３】
操作部８０は、デジタルカメラ１０の外装に取り付けられた操作部材の総称である。操作部８０としては、十字キーや押下釦等が考えられる。
【００２４】
無線ＬＡＮ通信部９０は、無線ＬＡＮ通信を実現するための通信手段である。無線ＬＡＮ通信部９０は、モジュール化されている場合が多いが、コントローラー５０の一部として構成してもよい。
【００２５】
図２は、デジタルカメラ１０の上面図である。モードダイヤル８１は、デジタルカメラ１０の動作モードを切り替える操作を受け付けるモード切替手段である。デジタルカメラ１０には無線ＬＡＮ通信モードを含む複数の動作モードが割り当てられている。すなわち、モードダイヤル８１は、無線ＬＡＮ通信モードを含む複数の動作モードの中から選択していずれかに切り替える操作を受け付けるものである。また、使用者がモードダイヤル８１を回転することにより、コントローラー５０はモード切替操作を受け付ける。
【００２６】
より具体的に説明する。図２に示すように、モードダイヤル８１には、「無線ＬＡＮ通信モード」、「再生モード」、「録画モード」、「動画モード」が割り当てられている。
【００２７】
コントローラー５０は、使用者によりモードダイヤル８１が「無線ＬＡＮ通信モード」に設定されると、コントローラー５０が有する第１制御モード、第２制御モードの内、設定された制御モードに応じて、各種の制御を行なう。なお、コントローラー５０が有する第1制御モードと、第２制御モードの切り替えは、後述する。また、制御モードは、第1制御モード、第２制御モードだけでなく、他の制御モードを設けてもよい。
【００２８】
コントローラー５０で設定された制御モードが第１制御モードである場合、コントローラー５０は、図４のようなパスワード入力画面を液晶モニタ７０に表示させ、使用者に対してパスワードの入力を促す。そして、使用者が操作部８０を操作することによってパスワードが入力されると、コントローラー５０は、パスワードを受け付ける。要するに、コントローラー５０が、受付手段である。なお、本発明の受付手段は、使用者からパスワードの入力を受け付けることができるものであればよい。また、第１制御モードは、受付手段がパスワードを受け付けた場合に限って制御するものである。
【００２９】
そしてコントローラー５０は、受け付けたパスワードが、フラッシュメモリ４１に記憶されたパスワードと一致した場合、図５のような無線ＬＡＮモードの通信／設定画面を液晶モニタ７０に表示させる。一方、コントローラー５０は、受け付けたパスワードが、フラッシュメモリ４１に記憶されたパスワードと一致しない場合、図６のような注意画面を液晶モニタ７０に表示させる。
【００３０】
無線ＬＡＮモードの通信／設定画面が液晶モニタ７０に表示された後、使用者が操作部８０を操作することによって「個人情報表示／変更」が選択されると、コントローラー５０は、秘匿情報を含む各種情報などをフラッシュメモリから読み出す。そしてコントローラー５０は、秘匿情報を含む各種情報を、図７のような情報表示画面として、液晶モニタ７０に表示させる。要するに、第１制御モードでは、秘匿情報を隠すことなく情報表示画面を表示させる。
【００３１】
一方、コントローラー５０で設定された制御モードが第２制御モードである場合、コントローラー５０は、図５のような無線ＬＡＮモードの通信／設定画面を液晶モニタ７０に表示させる。要するに、第２制御モードは、受付手段によるパスワードの入力受付を要しない。そして、無線ＬＡＮモードの通信／設定画面が液晶モニタ７０に表示された後、使用者が操作部８０を操作することによって「個人情報表示／変更」が選択されると、コントローラー５０は、秘匿情報を含む各種情報などをフラッシュメモリから読み出す。そしてコントローラー５０は、この秘匿情報をマスキングする。例えば、住所が「大阪市」である場合、住所を「＊＊＊」とする。その後コントローラー５０は、マスキングされた秘匿情報を含む各種情報を、図８のような情報表示画面として、液晶モニタ７０に表示させる。要するに、第２制御モードでは、秘匿情報を隠した状態で情報表示画面を表示させるものである。
【００３２】
なお、第２制御モードにおいて、秘匿情報を隠した状態で情報表示画面を表示させることは、上記実施の形態に限られない。具体的には、コントローラーが、秘匿情報を複数の文字や記号でマスキングするようにしてもよい。この場合、例えば、住所「大阪市」を住所「＊Ａ６」とする。ここでマスキング後の文字は、コントローラーが、予め用意された文字の中からランダムに選択すればよい。また、コントローラーが、秘匿情報を空白に変換してもよい。加えて、コントローラーが秘匿情報を隠した状態にする際、秘匿情報の文字数と、隠した後の文字数とを異なるようにするとよい。例えば、住所「大阪市」を住所「＊＊＊＊＊＊＊」のようにすればよい。このようにすれば、秘匿情報を隠すために変換された文字の数から、秘匿情報が推測されるのを防止できる。ここで本実施の形態でいう文字には、アルファベットやかななどの文字に限定されない。例えば、文字には、数字や記号、絵文字などをも含む。
【００３３】
ここで本実施の形態のフラッシュメモリ４１に記憶されたパスワードの変更方法について説明する。コントローラー５０によって、図５のような無線ＬＡＮモードの通信／設定画面が液晶モニタ７０に表示された状態から説明する。この場合、使用者が操作部８０を操作することによって、「パスワード変更」が選択されると、コントローラー５０は、図９のようなパスワード変更画面を液晶モニタ７０に表示させる。そして使用者が操作部８０を操作することによって、パスワードを入力すると、コントローラー５０が入力されたパスワードを受け付ける。コントローラー５０は、受け付けたパスワードをフラッシュメモリ４１に記憶する。これによって、フラッシュメモリ４１に記憶されたパスワードの変更を可能にしている。なお、変更前に記憶されているパスワードは、フラッシュメモリから消去してもよいし、フラッシュメモリにそのまま記憶しておいてもよい。
【００３４】
また、本実施の形態の第１制御モードと第２制御モードとの切り替え方法を説明する。コントローラー５０によって、図５のような無線ＬＡＮモードの通信／設定画面が液晶モニタ７０に表示された状態から説明する。この場合、使用者が操作部８０を操作することによって、「パスワードＯＮ／ＯＦＦ切り替え」が選択されると、コントローラー５０は、図１０のような第１制御モードと第２制御モードの切り替え画面を液晶モニタ７０に表示させる。そして使用者が操作部８０を操作することによって、「ＹＥＳ」または「ＮＯ」を選択すると、コントローラー５０は選択結果を受け付ける。コントローラー５０は、「ＹＥＳ」を受け付けた場合、コントローラー５０の制御モードを第１制御モードに切り替える。また、コントローラー５０は、「ＮＯ」を受け付けた場合、コントローラー５０の制御モードを第２制御モードに切り替える。
【００３５】
図２に戻って、他のモードを説明する。
【００３６】
まず、コントローラー５０は、「再生モード」において、メモリカード６１やフラッシュメモリ４１に格納されている画像データを読み出して、その画像データが示す画像を液晶モニタ７０に表示させる。
【００３７】
また、コントローラー５０は、「録画モード」において、ＣＣＤイメージセンサー２１で撮像した静止画像データをメモリカード６１やフラッシュメモリ４１に格納する。
【００３８】
さらに、コントローラー５０は、「動画モード」において、ＣＣＤイメージセンサー２１で撮像した動画像データをメモリカード６１やフラッシュメモリ４１に格納する。
【００３９】
本実施の形態１では、本発明の一例として、「無線ＬＡＮ通信モード」、「再生モード」、「録画モード」、「動画モード」を備えるデジタルカメラ１０を例示しているが、本発明はこれには限定されない。
【００４０】
２．動作
以上のように構成されたデジタルカメラ１０において、モードダイヤル８１が「無線ＬＡＮ通信モード」に切り替えられた場合の動作を、図１１、１２を用いて説明する。
【００４１】
コントローラー５０は、モードダイヤル８１の回転操作が無線ＬＡＮ通信モードに切り替えられると、図１１の処理を開始する。
【００４２】
まず、コントローラー５０は、制御モードが第１制御モードであるか否かを判定する（Ｓ１）。コントローラー５０は、ステップＳ１の判定結果が第１制御モードである場合、図４のようなパスワードの入力画面を液晶モニタ７０に表示させ、パスワードの入力を受け付ける（Ｓ２）。そして使用者が操作部８０を操作することによって、コントローラー５０がパスワードを受け付けた場合、コントローラー５０は、受け付けたパスワードと、フラッシュメモリ４１に記憶されたパスワードが一致するか否か判定する（Ｓ３）。コントローラー５０は、パスワードが一致した場合、図５のような無線ＬＡＮ通信／設定画面を液晶モニタ７０に表示させる（Ｓ４）。一方、コントローラー５０は、パスワードが一致しない場合、ステップＳ２に移行し、再度使用者に対してパスワード入力を促す。
【００４３】
なお、コントローラー５０は、ステップＳ１の判定結果が第１制御モードでない場合、すなわち、制御モードが第２制御モードである場合、図５のような無線ＬＡＮ通信／設定画面を液晶モニタ７０に表示させる（Ｓ４）。
【００４４】
次に、コントローラー５０によって、図５のような無線ＬＡＮ通信／設定画面が液晶モニタ７０に表示された状態で、使用者が操作部８０を操作することによって「個人情報表示／変更」が選択されると、以下の図１２の動作を行なう。
【００４５】
コントローラー５０は、制御モードが第１制御モードであるか否かを判定する（Ｔ１）。
コントローラー５０は、ステップＳ１の判定結果が第１制御モードである場合、秘匿情報を含む各種情報を、図７のような情報表示画面として、液晶モニタ７０に表示させる（Ｔ２）。
【００４６】
一方コントローラー５０は、ステップＳ１の判定結果が第１制御モードでない場合、すなわち、制御モードが第２制御モードである場合、マスキングされた秘匿情報を含む各種情報を、図８のような情報表示画面として、液晶モニタ７０に表示させる（Ｔ３）。
【００４７】
これによって、第１制御モードにおいて、パスワードを受け付けた場合に限って、秘匿情報を隠すことなく情報表示画面を表示手段に表示させることができ、第２制御モードにおいて、パスワードの入力受付を要することなく、秘匿情報を隠した状態で情報表示画面を表示手段に表示させることができる。
【００４８】
３．まとめ
上述したように、本実施の形態によれば、秘匿情報を含む各種情報の表示に用いる情報表示画面を表示可能な液晶モニタ８０と、情報表示画面を液晶モニタ８０に表示させるためのパスワードの入力を受け付けるコントローラー５０と、コントローラー５０がパスワードを受け付けた場合に限って情報表示画面を液晶モニタ８０に表示させるよう制御する第１制御モードと、コントローラー５０によるパスワードの入力受付を要することなく情報表示画面を液晶モニタ８０に表示させるよう制御する第２制御モードと、を制御モードとして少なくとも有するコントローラー５０と、を備える。そしてコントローラー５０は、第１制御モードにおいて情報表示画面を液晶モニタ８０に表示させる場合、秘匿情報を隠すことなく情報表示画面を表示させる一方、第２制御モードにおいて情報表示画面を液晶モニタ８０に表示させる場合、秘匿情報を隠した状態で情報表示画面を表示させる。
【００４９】
したがって、他人に秘匿情報を見られることをより防止でき、使用者にとって少ない負担で秘匿情報を確認できる。
【００５０】
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００５１】
本発明の実施の形態１では、無線ＬＡＮ機能付きデジタルカメラに適用したが、これに限られない。すなわち、無線ＬＡＮ機能は備えなくても良く、例えば、表示手段を備える情報表示装置ならばどのような情報表示装置であってもよい。
【００５２】
また、本発明の実施の形態１では、図４のようなパスワード入力画面を液晶モニタ７０に表示し、使用者が操作部８０を操作することによって、パスワードを入力するようにしたが、これに限られず、タッチパネルや接続可能に設けられるキーボードの操作によって入力するようにしてもよい。
【００５３】
さらに、本発明の実施の形態１では、本発明の情報表示装置の一例としてデジタルカメラを例示したが、本発明はこれには限定されない。例えば、テレビジョン受信機能を有する表示装置などにも適用できる。要するに、本発明は、表示手段を備える情報表示装置に適用可能である。
【００５４】
加えて、本発明の実施の形態１では、認証情報としてパスワードの例を説明したが、これに限られず、例えば、バイオメトリクス認証のためのバイオメトリクス情報（指紋や虹彩など）を用いることができる。また、認証情報として、ＩＣカードなどに含まれる識別情報を用いるようにしてもよい。
【００５５】
すなわち、本発明は上記実施の形態に限定されることなく、種々の態様で実施できる。
【産業上の利用可能性】
【００５６】
本発明は、表示手段を備える情報表示装置に適用可能である。より具体的には、デジタルスチルカメラ、ムービー、カメラ機能付き携帯電話端末、テレビジョン受信機能付き表示装置等に適用できる。
【図面の簡単な説明】
【００５７】
【図１】本発明の実施の形態にかかるデジタルカメラの構成を示すブロック図
【図２】本発明の実施の形態にかかるデジタルカメラの上面図
【図３】フラッシュメモリに記憶されたパスワードを説明するための図
【図４】第１制御モードにおいて、パスワードの入力画面の一例を示す図
【図５】無線ＬＡＮ通信／設定のための画面表示の一例を示す図
【図６】受付手段が受け付けたパスワードとフラッシュメモリに記憶されたパスワードが一致しなかった場合の表示画面の一例を示す図
【図７】第１制御モードにおける情報表示画面の一例を示す図
【図８】第２制御モードにおける情報表示画面の一例を示す図
【図９】パスワードの変更方法を説明するための図
【図１０】第１制御モードと第２制御モードの切り替え方法を説明するための図
【図１１】本実施の形態に係るデジタルカメラの動作を説明するためのフローチャート
【図１２】本実施の形態に係るデジタルカメラの動作を説明するためのフローチャート
【符号の説明】
【００５８】
１０    デジタルカメラ
２０    光学系
２１    ＣＣＤイメージセンサー
２２    ＡＤコンバーター
３０    画像処理部
４０    バッファメモリ
４１    フラッシュメモリ
５０    コントローラー
６０    カードスロット
６１    メモリカード
７０    液晶モニタ
８０    操作部
８１    モードダイヤル
９０    無線ＬＡＮ通信部
【図１】
2009223470.tif 000003
【図２】
2009223470.tif 000004
【図３】
2009223470.tif 000005
【図４】
2009223470.tif 000006
【図５】
2009223470.tif 000007
【図６】
2009223470.tif 000008
【図７】
2009223470.tif 000009
【図８】
2009223470.tif 000010
【図９】
2009223470.tif 000011
【図１０】
2009223470.tif 000012
【図１１】
2009223470.tif 000013
【図１２】
2009223470.tif 000014